【手続補正書】
【提出日】平成18年10月26日(2006.10.26)
【手続補正１】
【補正対象書類名】明細書
【補正対象項目名】特許請求の範囲
【補正方法】変更
【補正の内容】
【特許請求の範囲】
【請求項１】  （ａ）光透過性部分と光遮断性部分とを含む標示板と、
（ｂ）前記標示板の内面の前記光遮断性部分の少なくとも一部に適用され、拡散反射フィルム、拡散フィルムを積層した鏡面反射フィルム及び拡散コーティングで被覆した鏡面反射フィルムからなる群から選択された高反射フィルムと、
（ｃ）拡散反射フィルム、拡散フィルムを積層した鏡面反射フィルム及び拡散コーティングで被覆した鏡面反射フィルムからなる群から選択された高反射フィルムを適用した内壁と、
を含む照明サイン筐体。
【請求項２】  （ｃ）光透過性部分と光遮断性部分とをそれぞれ含む１枚以上の追加標示板と、
（ｄ）各追加標示板の内面の前記光遮断性部分の少なくとも一部に適用され、拡散反射フィルム、拡散フィルムを積層した鏡面反射フィルム及び拡散コーティングで被覆した鏡面反射フィルムからなる群から選択された高反射フィルムと、
をさらに含む請求項１に記載の照明サイン筐体。
【手続補正２】
【補正対象書類名】明細書
【補正対象項目名】００１９
【補正方法】変更
【補正の内容】
【００１９】
本発明は、第一に、（ａ）光透過性部分と光遮断性部分とを含む標示板と、（ｂ）前記標示板の内面の前記光遮断性部分の少なくとも一部に適用され、拡散反射フィルム、拡散フィルムを積層した鏡面反射フィルム及び拡散コーティングで被覆した鏡面反射フィルムからなる群から選択された高反射フィルムと、（ｃ）拡散反射フィルム、拡散フィルムを積層した鏡面反射フィルム及び拡散コーティングで被覆した鏡面反射フィルムからなる群から選択された高反射フィルムを適用した内壁とを含む照明サイン筐体に関する。
本発明は、第２に、前記第１の発明において、（ｃ）光透過性部分と光遮断性部分とをそれぞれ含む１枚以上の追加標示板と、（ｄ）各追加標示板の内面の前記光遮断性部分の少なくとも一部に適用され、拡散反射フィルム、拡散フィルムを積層した鏡面反射フィルム及び拡散コーティングで被覆した鏡面反射フィルムからなる群から選択された高反射フィルムと、をさらに含む照明サイン筐体に関する。
本発明の一態様は、光透過性部分および光遮断性部分を含む標示板と、その標示板の光遮断性部分の少なくとも一部に適用された反射フィルムとを具備する照明サイン筐体である。このフィルムが、ＡＳＴＭ  Ｅ１１６４−９４による反射率が少なくとも８０％である拡散反射フィルムを含むと好ましく、白色粒子で塗りつぶされたポリオレフィンフィルム、非相溶性ポリマーの配合物、ポリオレフィン多層フィルム；ポリエステル多層フィルム；微小孔質ポリオレフィンおよびポリエステルフィルム：フッ素化ポリオレフィンフィルム；白色粒子で塗りつぶされたポリマー塩化ビニルフィルム；白色粒子で塗りつぶされたアクリル樹脂フィルム；エチレン酢酸ビニルフィルムと同時押出されたポリオレフィンフィルム；およびこれらの組み合わせからなる群から選択するとより好ましい。
【手続補正３】
【補正対象書類名】明細書
【補正対象項目名】００５４
【補正方法】変更
【補正の内容】
【００５４】
本発明はこれらの実施態様に限定されるものではない。本発明に関わる実施態様に関して列挙する。
［第１の態様］
（ａ）光透過性部分と光遮断性部分とを含む標示板と、
（ｂ）前記標示板の前記光遮断性部分の少なくとも一部に適用された高反射フィルムと、
を含む照明サイン筐体。
［第２の態様］
前記高反射フィルムが、ＡＳＴＭ  Ｅ１１６４−９４による反射率が少なくとも８０％である拡散反射フィルムである第１の態様の照明サイン筐体。
［第３の態様］
前記高反射フィルムが、拡散反射フィルム、半鏡面反射フィルム、および拡散反射フィルムを積層した、あるいは拡散コーティングで被覆した鏡面反射フィルムからなる群から選択される第１の態様の照明サイン筐体。
［第４の態様］
前記高反射フィルムが、白色粒子で塗りつぶされたポリオレフィンフィルム、非相溶性ポリマーの配合物、ポリオレフィン多層フィルム、ポリエステル多層フィルム、微小孔性ポリオレフィンおよびポリエステルフィルム、フッ素化ポリオレフィンフィルム、白色粒子で塗りつぶされたポリ塩化ビニルフィルム、白色粒子で塗りつぶされたアクリル樹脂フィルム、エチレン酢酸ビニルフィルムと同時押出されたポリオレフィンフィルムおよびこれらの組み合わせからなる群から選択される第２の態様の照明サイン筐体。
［第５の態様］
前記照明サイン筐体の内壁の少なくとも一部を裏打ちする拡散反射フィルムをさらに含む第１の態様の照明サイン筐体。
［第６の態様］
前記拡散反射フィルムのＡＳＴＭ  Ｅ１１６４−９４による反射率が少なくとも９０％である第１の態様の照明サイン筐体。
［第７の態様］
（ｃ）光透過性部分と光遮断性部分とをそれぞれ含む１枚以上の追加標示板と、
（ｄ）各追加標示板の光遮断性部分の少なくとも一部に適用された高反射フィルムと、
をさらに含む第１の態様の照明サイン筐体。
［第８の態様］
約３３％の光透過性部分と約６６％の光遮断性部分とを含むサインにおいて、前記高反射フィルムを具備しない標示板と比較して、前記高反射フィルムを使用することにより平均輝度が少なくとも約２５％上昇する第１の態様の照明サイン筐体。
［第９の態様］
前記高反射フィルムを前記標示板の光遮断性部分に接着するために、前記高反射フィルムの一主面上に接着剤を被覆した第１の態様の照明サイン筐体。
［第１０の態様］
前記高反射フィルムを前記標示板に固定するために、前記高反射フィルムの一主面上にファスナを積層した第１の態様の照明サイン筐体。
［第１１の態様］
前記高反射フィルムが標示板の外面に接触する第１の態様の照明サイン筐体。
［第１２の態様］
前記高反射フィルムが標示板の内面に接触する第１の態様の照明サイン筐体。
［第１３の態様］
前記高反射フィルムが多層構造物であり、不透明層を含む第１の態様の照明サイン筐体。
［第１４の態様］
前記高反射フィルムの厚さが、約２５μｍ〜約５００μｍである第１の態様の照明サイン筐体。
［第１５の態様］
（ａ）ＡＳＴＭ  Ｅ１１６４−９４による反射率にしたがって、反射率が少なくとも８０％であるフィルムを選択するステップと、
（ｂ）前記フィルムを、照明サイン筐体の標示板が含む光遮断性部分の少なくとも一部に適用するステップと、
を含む標示用フィルムの使用法。
［第１６の態様］
前記高反射フィルムが、拡散反射フィルム、半鏡面反射フィルム、および拡散反射フィルムを積層した、あるいは拡散コーティングで被覆した鏡面反射フィルムからなる群から選択される第１５の態様の方法。
［第１７の態様］
前記高反射フィルムが、白色粒子で塗りつぶされたポリオレフィンフィルム、非相溶性ポリマーの配合物、ポリオレフィン多層フィルム、ポリエステル多層フィルム、微小孔性ポリオレフィンおよびポリエステルフィルム、フッ素化ポリオレフィンフィルム、白色粒子で塗りつぶされたポリ塩化ビニルフィルム、白色粒子で塗りつぶされたアクリル樹脂フィルム、エチレン酢酸ビニルフィルムと同時押出されたポリオレフィンフィルムおよびこれらの組み合わせからなる群から選択される第１５の態様の方法。
［第１８の態様］
（ｃ）前記照明サイン筐体の内壁の少なくとも一部を拡散反射フィルムで被覆するステップをさらに含む第１５の態様の方法。
［第１９の態様］  光透過性部分と光遮断性部分とをそれぞれ含む標示板を１枚以上追加するために（ａ）ステップおよび（ｂ）ステップを反復するステップをさらに含む第１５の態様の方法。
［第２０の態様］  前記高反射フィルムを前記標示板の光遮断性部分に接着するために、前記高反射フィルムの一主面上に接着剤を被覆した第１５の態様の方法。